(57)【要約】【課題】リモコンの振動による通知をさせるか否かをユーザが選択でき、ユーザが好む方法での使用ができる電子機器システムを提供する。【解決手段】リモコンにおいて視聴予約登録操作等がされると、制御部６は、リモコンにおいてされた設定操作に応じて制御信号送信部１２へリモコンを振動させるための制御信号を出力したりしなかったりする。【選択図】図１
2008124778.tif 000002
【特許請求の範囲】
【請求項１】
視聴予約機能および録画予約機能を有し、制御信号を出力する制御信号出力手段と、該制御信号手段が出力した制御信号に基づく無線信号を送信する送信手段と、を有する電子機器と、
該送信手段が送信した無線信号を受信し該無線信号に基づく制御信号を出力する受信手段と、該受信手段が出力した制御信号に基づきリモコンを振動させる振動手段と、操作手段と、を有するリモコンとからなる電子機器システムであって、
前記操作手段において視聴予約登録操作がされると、前記制御信号出力手段は、前記操作手段においてされた設定操作に応じて制御信号の出力と非出力とを切り換え、制御信号を出力する場合は視聴予約された番組の開始時刻の所定時間前の時刻に現在時刻が一致すると制御信号を出力し、
前記操作手段において録画予約登録操作がされると、前記制御信号出力手段は、前記操作手段においてされた設定操作に応じて制御信号の出力と非出力とを切り換え、制御信号を出力する場合は録画予約された番組の開始時刻の所定時間前の時刻に現在時刻が一致すると制御信号を出力し、
前記操作手段において無効な操作がされると、前記制御信号出力手段は、前記操作手段においてされた設定操作に応じて制御信号の出力と非出力とを切り換え、
前記操作手段において録画容量が記録媒体の残量を超えるような録画予約登録操作がされると、前記制御信号出力手段は、前記操作手段においてされた設定操作に応じて制御信号の出力と非出力とを切り換え、
前記視聴予約登録操作および前記録画予約登録操作がされた場合と前記無効な操作および前記録画容量が記録媒体の残量を超えるような録画予約登録操作がされた場合とで、前記振動手段は異なるやり方でリモコンを振動させる、
ことを特徴とする電子機器システム。
【請求項２】
制御信号を出力する制御信号出力手段と、該制御信号手段が出力した制御信号に基づく無線信号を送信する送信手段と、を有する電子機器と、
該送信手段が送信した無線信号を受信し該無線信号に基づく制御信号を出力する受信手段と、該受信手段が出力した制御信号に基づきリモコンを振動させる振動手段と、操作手段と、を有するリモコンとからなる電子機器システムであって、
前記操作手段において所定の操作がされると、前記制御信号出力手段は、前記操作手段においてされた設定操作に応じて制御信号の出力と非出力とを切り換える、
ことを特徴とする電子機器システム。
【請求項３】
前記電子機器は視聴予約機能を有し、前記所定の操作は視聴予約登録操作であり、前記制御信号出力手段は、視聴予約された番組の開始時刻の所定時間前の時刻に現在時刻が一致すると前記制御信号を出力する、ことを特徴とする請求項２に記載の電子機器システム。
【請求項４】
前記電子機器は録画予約機能を有し、前記所定の操作は録画予約登録操作であり、前記制御信号出力手段は、録画予約された番組の開始時刻の所定時間前の時刻に現在時刻が一致すると前記制御信号を出力する、ことを特徴とする請求項２に記載の電子機器システム。
【請求項５】
前記所定の操作は無効な操作であることを特徴とする請求項２に記載の電子機器システム。
【請求項６】
前記所定の操作は、その所定の操作が要求する動作を前記電子機器が完全には行えないような操作であることを特徴とする請求項２に記載の電子機器システム。
【請求項７】
前記所定の操作と異なる第二の所定の操作が前記操作手段においてされても、前記制御信号出力手段は、前記操作手段においてされた設定操作に応じて制御信号の出力と非出力とを切り換え、
前記所定の操作がされた場合と前記第二の所定の操作がされた場合とで、前記振動手段は異なるやり方でリモコンを振動させることを特徴とする請求項２に記載の電子機器システム。
【請求項８】
制御信号を出力する制御信号出力手段と、該制御信号手段が出力した制御信号に基づく無線信号を、該無線信号を受信し該無線信号に基づく制御信号を出力する受信手段と、該受信手段が出力した制御信号に基づきリモコンを振動させる振動手段と、操作手段と、を有するリモコンに送信する送信手段と、を備えた電子機器であって、
前記操作手段において所定の操作がされると、前記制御信号出力手段は、前記操作手段においてされた設定操作に応じて制御信号の出力と非出力とを切り換える、ことを特徴とする電子機器。
【請求項９】
制御信号を出力する制御信号出力手段と、該制御信号手段が出力した制御信号を受信し該制御信号に基づく無線信号を送信する送信手段と、を有する電子機器から該無線信号を受信し該無線信号に基づく制御信号を出力する受信手段と、該受信手段が出力した制御信号に基づきリモコンを振動させる振動手段と、操作手段と、を備えたリモコンであって、
前記操作手段において所定の操作がされると、前記制御信号出力手段は、前記操作手段においてされた設定操作に応じて制御信号の出力と非出力とを切り換える、ことを特徴とするリモコン。
【発明の詳細な説明】
【技術分野】
【０００１】
本発明は、リモコンと電子機器とからなる電子機器システムに関する。
【背景技術】
【０００２】
従来から、リモコンと電子機器とからなるシステムは多数存在する。例えば、特許文献１には、リモコンと放送受信装置とからなるシステムであって、ユーザ操作により検索動作開始指示があると、放送受信装置がメモリに記憶された検索映像と放送受信する映像データとを比較し、検索映像と一致する映像データを受信した場合に、リモコン側に放送受信装置側から制御信号を送信し、リモコンを振動させるものが開示されている。これにより、過去の視聴番組の再放送等を容易に検索できるとしている。
【特許文献１】特開２００１−１８６４３２号公報（第５頁−第６頁）
【発明の開示】
【発明が解決しようとする課題】
【０００３】
しかし、上記従来のリモコンと放送受信装置とからなるシステムでは、リモコンの振動による通知がわずらわしいと思うユーザにとっては使用しにくいものであった。
【０００４】
そこで、本発明は、リモコンの振動による通知をさせるか否かをユーザが選択でき、ユーザが好む方法での使用ができる電子機器システムを提供することを目的とする。
【課題を解決するための手段】
【０００５】
上記目的を達成するために本発明の電子機器システムは、制御信号を出力する制御信号出力手段と、該制御信号手段が出力した制御信号に基づく無線信号を送信する送信手段と、を有する電子機器と、
該送信手段が送信した無線信号を受信し該無線信号に基づく制御信号を出力する受信手段と、該受信手段が出力した制御信号に基づきリモコンを振動させる振動手段と、操作手段と、を有するリモコンとからなる電子機器システムであって、
前記操作手段において所定の操作がされると、前記制御信号出力手段は、前記操作手段においてされた設定操作に応じて制御信号の出力と非出力とを切り換える、
ことを特徴としている。
【０００６】
このような構成によれば、リモコンの振動による通知をさせるか否かをユーザが選択でき、ユーザが好む方法での使用ができる。
【０００７】
また、本発明の電子機器システムは上記構成において、前記電子機器は視聴予約機能を有し、前記所定の操作は視聴予約登録操作であり、前記制御信号出力手段は、視聴予約された番組の開始時刻の所定時間前の時刻に現在時刻が一致すると前記制御信号を出力する、ことを特徴としている。
【０００８】
このような構成によれば、ユーザが視聴予約していたことを忘れていてもリモコンの振動により視聴予約していたことを気づかせることができ、番組の見過ごしを防ぐことができる。
【０００９】
また、本発明の電子機器システムは上記構成において、前記電子機器は録画予約機能を有し、前記所定の操作は録画予約登録操作であり、前記制御信号出力手段は、録画予約された番組の開始時刻の所定時間前の時刻に現在時刻が一致すると前記制御信号を出力する、ことを特徴としている。
【００１０】
このような構成によれば、ユーザが録画をしつつ番組も視聴したい場合、リモコンの振動によりユーザに録画予約をしたことを気づかせることができ、番組の見過ごしを防ぐことができる。
【００１１】
また、本発明の電子機器システムは上記構成において、前記所定の操作は無効な操作であることを特徴としている。
【００１２】
このような構成によれば、ユーザが無効な操作をしたときにリモコンの振動によりそれが無効な操作であることが分かりやすくなる。
【００１３】
また、本発明の電子機器システムは上記構成において、前記所定の操作は、その所定の操作が要求する動作を前記電子機器が完全には行えないような操作であることを特徴としている。
【００１４】
このような構成によれば、その要求する動作を前記電子機器が完全には行えないような操作をユーザがしたときにリモコンの振動によりそのような操作がされたことが分かりやすくなる。
【００１５】
また、本発明の電子機器システムは上記構成において、前記所定の操作と異なる第二の所定の操作が前記操作手段においてされても、前記制御信号出力手段は、前記操作手段においてされた設定操作に応じて制御信号の出力と非出力とを切り換え、
前記所定の操作がされた場合と前記第二の所定の操作がされた場合とで、前記振動手段は異なるやり方でリモコンを振動させることを特徴としている。
【００１６】
このような構成によれば、所定の操作に応じて適した振動をリモコンにさせることができる。
【発明の効果】
【００１７】
本発明の電子機器システムによれば、リモコンの振動による通知をさせるか否かをユーザが選択でき、ユーザが好む方法での使用ができる。
【発明を実施するための最良の形態】
【００１８】
本発明の実施形態について以下図面を参照し説明する。
【００１９】
図１に、本発明に係るハードディスクレコーダのブロック構成図を示す。なお、本発明は、ハードディスクレコーダに限らず、ＤＶＤレコーダやテレビ等にも適用可能である。本発明に係るハードディスクレコーダ１は、チューナ３と、ＭＰＥＧコーデック４と、ハードディスクドライブ５と、制御部６と、ＯＳＤ（Ｏｎ  Ｓｃｒｅｅｎ  Ｄｉｓｐｌａｙ）部７と、ＥＰＧ情報記憶部８と、内部時計９と、記憶部１０と、赤外線信号受信部１１と、制御信号送信部１２と、を備える。
【００２０】
アンテナ２は、放送電波を受信し高周波信号に変換しチューナ３に出力する。チューナ３は、アンテナ２から入力される高周波信号から制御部６により指示されるチャンネルの高周波信号を抽出し映像信号および音声信号を出力する。また、チューナ３は、アンテナ２から入力される高周波信号からＥＰＧ（電子番組表）情報を抽出し出力する。
【００２１】
ＭＰＥＧコーデック４は、チューナ３からの映像信号および音声信号を圧縮したり、ハードディスクドライブ５が出力した圧縮された映像信号および音声信号を伸長したりする。ハードディスクドライブ５は、ＭＰＥＧコーデック４が圧縮した映像信号および音声信号を内蔵するハードディスクに記録させたり、ハードディスクから圧縮された映像信号および音声信号を読み出したりする。
【００２２】
ＯＳＤ（Ｏｎ  Ｓｃｒｅｅｎ  Ｄｉｓｐｌａｙ）部７は、制御部６からの指示に基づき図形信号や文字信号を生成し、該図形信号や文字信号をチューナ３やＭＰＥＧコーデック４から入力される映像信号と合成して合成信号を生成し、該合成信号をビデオ信号に変換し、該ビデオ信号を不図示のテレビ等の表示装置に出力する。また、ＯＳＤ部７は、上記合成をせずに図形信号や文字信号をビデオ信号に変換して表示装置に出力することも行う。
【００２３】
ＥＰＧ情報記憶部８は、チューナ３で抽出されたＥＰＧ情報が記憶される。内部時計９は、時刻を計測する。記憶部１０は、後述するようなリモコン振動機能設定情報や視聴予約情報や録画予約情報が記憶される。
【００２４】
赤外線信号受信部１１は、後述する本発明に係るリモコンから赤外線信号を受信しコード信号を制御部６に送出する。また、制御信号送信部１２は、制御部６から入力された制御信号をＢｌｕｅｔｏｏｔｈ、ＦＭ波等の無線信号に変換して無線信号を後述する本発明に係るリモコンに送信する。
【００２５】
また、図２に、本発明に係るリモコンのブロック構成図を示す。本発明に係るリモコン１３は、制御信号受信部１４と、赤外線信号送信部１５と、制御部１６と、操作部１７と、モータ１８と、振動子１９とを備える。
【００２６】
制御信号受信部１４は、上記ハードディスクレコーダ１が有する制御信号送信部１２から無線信号を受信し、無線信号を制御信号に変換して制御部１６に出力する。赤外線信号送信部１５は、制御部１６から入力されたコード信号を赤外線信号に変換して上記ハードディスクレコーダ１が有する赤外線信号受信部１１に送信する。
【００２７】
制御部１６は、制御信号受信部１４から入力される制御信号に応じた駆動信号をモータ１８に出力したり、操作部１７における操作に応じたコード信号を赤外線信号送信部１５に出力したりする。
【００２８】
振動子１９は、モータ１８が有する回転軸に重心からずれるように取り付けられている。これにより、制御部１６が駆動信号をモータ１８に出力すると、モータ１８が有する回転軸と共に振動子１９が回転し、モータ１８が振動するので、リモコン１３も振動する。
【００２９】
以下、上記構成の本発明に係るハードディスクレコーダおよびリモコンの動作について説明する。
【００３０】
まず、リモコン振動機能の設定について述べる。リモコン１３の操作部１７においてセットアップメニュー表示操作がされると、ハードディスクレコーダ１が有する制御部６が対応するコード信号を赤外線信号受信部１１から受信し、制御部６の指示によりＯＳＤ部７がビデオ信号を不図示の表示装置に出力し、表示装置にセットアップメニューが表示される。セットアップメニューに含まれるリモコン振動機能設定の項目が操作部１７の操作により選択されると、表示装置に図３のような画面が表示される。
【００３１】
操作部１７の操作により本画面において「オン」か「オフ」のいずれかが表示される。もし、「オン」と表示された状態で操作部１７において決定操作がされると、制御部６は、リモコン振動機能が有効である旨を表す設定情報を記憶部１０に記憶させる。また、「オフ」と表示された状態で操作部１７において決定操作がされると、制御部６は、リモコン振動機能が無効である旨を表す設定情報を記憶部１０に記憶させる。
【００３２】
次に、視聴予約について述べる。リモコン１３の操作部１７において電子番組表表示操作がされると、制御部６は、ＥＰＧ情報記憶部８に記憶されたＥＰＧ情報に基づきＯＳＤ部７に指示し、ＯＳＤ部７はビデオ信号を不図示の表示装置に出力する。すると、表示装置に電子番組表が表示される。ここで、操作部１７において番組選択操作がされ視聴予約登録操作がされると、制御部６は、選択された番組の開始時刻およびチャンネルを表す視聴予約情報を記憶部１０に記憶させる。
【００３３】
そして、もし記憶部１０に記憶された設定情報がリモコン振動機能が有効である旨を表している場合は、記憶部１０に記憶された視聴予約情報が表す番組開始時刻から所定時間前（例えば、５分前とすればよい。０分前としてもよい。）の時刻に内部時計９が計測する現在時刻が一致すると、制御部６は、制御信号を制御信号送信部１２に出力する。すると、制御信号送信部１２がリモコン１３の制御信号受信部１４に無線信号を送信し、制御信号受信部１４は無線信号を制御信号に変換して制御部１６に出力し、制御部１６が制御信号に応じた駆動信号をモータ１８に出力し、モータ１８の駆動によりリモコン１３が振動する。その後、記憶部１０に記憶された視聴予約情報が表す番組開始時刻に内部時計９が計測する現在時刻が一致すると、制御部６は、記憶部１０に記憶された視聴予約情報が表すチャンネルの高周波信号を抽出するようチューナ３に指示し、表示装置に該チャンネルの番組が表示される。
【００３４】
このようにリモコン１３が振動するため、ユーザが視聴予約していたことを忘れていても視聴予約していたことを気づかせることができ、番組の見過ごしを防ぐことができる。
【００３５】
また、もし記憶部１０に記憶された設定情報がリモコン振動機能が無効である旨を表している場合は、制御部６は上記のように制御信号を制御信号送信部１２に出力することはせず、制御部６は記憶部１０に記憶された視聴予約情報が表す番組開始時刻に内部時計９が計測する現在時刻が一致すると、記憶部１０に記憶された視聴予約情報が表すチャンネルの高周波信号を抽出するようチューナ３に指示し、表示装置に該チャンネルの番組が表示される。
【００３６】
次に、録画予約について述べる。リモコン１３の操作部１７において電子番組表表示操作がされると、制御部６は、ＥＰＧ情報記憶部８に記憶されたＥＰＧ情報に基づきＯＳＤ部７に指示し、ＯＳＤ部７はビデオ信号を表示装置に出力する。すると、表示装置に電子番組表が表示される。ここで、操作部１７において番組選択操作がされ録画予約登録操作がされると、制御部６は、選択された番組の開始時刻、終了時刻およびチャンネルを表す録画予約情報を記憶部１０に記憶させる。
【００３７】
そして、もし記憶部１０に記憶された設定情報がリモコン振動機能が有効である旨を表している場合は、記憶部１０に記憶された録画予約情報が表す番組開始時刻から所定時間前（例えば、５分前とすればよい。０分前としてもよい。）の時刻に内部時計９が計測する現在時刻が一致すると、制御部６は、制御信号を制御信号送信部１２に出力する。すると、制御信号送信部１２がリモコン１３の制御信号受信部１４に無線信号を送信し、制御信号受信部１４は無線信号を制御信号に変換して制御部１６に出力し、制御部１６が制御信号に応じた駆動信号をモータ１８に出力し、モータ１８の駆動によりリモコン１３が振動する。その後、記憶部１０に記憶された録画予約情報が表す番組開始時刻に内部時計９が計測する現在時刻が一致すると、制御部６は、記憶部１０に記憶された録画予約情報が表すチャンネルの高周波信号を抽出するようチューナ３に指示し、ハードディスクドライブ５が映像音声信号のハードディスクへの記録を開始する。このとき、ＯＳＤ部７が出力するビデオ信号により表示装置に該チャンネルの番組が表示される。
【００３８】
このようにリモコン１３が振動するので、ユーザが録画をしつつ番組も視聴したい場合、ユーザに録画予約をしたことを気づかせることができ、番組の見過ごしを防ぐことができる。
【００３９】
また、もし記憶部１０に記憶された設定情報がリモコン振動機能が無効である旨を表している場合は、制御部６は上記のように制御信号を制御信号送信部１２に出力することはせず、記憶部１０に記憶された録画予約情報が表す番組開始時刻に内部時計９が計測する現在時刻が一致すると、制御部６は、記憶部１０に記憶された録画予約情報が表すチャンネルの高周波信号を抽出するようチューナ３に指示し、ハードディスクドライブ５が映像音声信号のハードディスクへの記録を開始する。このとき、ＯＳＤ部７が出力するビデオ信号により表示装置に該チャンネルの番組が表示される。
【００４０】
また、ハードディスクドライブ５が番組の映像音声信号をハードディスクに記録中に操作部１７においてチャンネル選択操作がされると、もし記憶部１０に記憶された設定情報がリモコン振動機能が有効である旨を表している場合は、制御部６は制御信号を制御信号送信部１２に送信する。すると、制御信号送信部１２がリモコン１３の制御信号受信部１４に無線信号を送信し、制御信号受信部１４は無線信号を制御信号に変換して制御部１６に出力し、制御部１６が制御信号に応じた駆動信号をモータ１８に出力し、モータ１８の駆動によりリモコン１３が振動する。ここでの駆動信号は、前述した視聴録画予約をユーザに知らせる場合のモータ１８の駆動時間よりも短い時間でモータ１８を駆動させるための信号であり、リモコン１３も前述した視聴録画予約をユーザに知らせる場合より短い時間で振動する。また、ＯＳＤ部７は制御部６の指示に基づきビデオ信号を表示装置に出力し、表示装置にはチャンネル選択操作が無効である旨を示すメッセージやアイコンが表示される。また、制御部６は、チャンネル選択操作に対応するチャンネルの高周波信号を抽出するようチューナ３に指示することは行わない。このようにリモコン１３が振動することにより、録画中のチャンネル選択操作が無効であることがユーザにとって分かりやすくなる。
【００４１】
また、上記でもし記憶部１０に記憶された設定情報がリモコン振動機能が無効である旨を表している場合は、制御部６は制御信号を制御信号送信部１２に送信することはせず、ＯＳＤ部７は制御部６の指示に基づきビデオ信号を表示装置に出力し、表示装置にはチャンネル選択操作が無効である旨を示すメッセージやアイコンが表示される。また、制御部６は、チャンネル選択操作に対応するチャンネルの高周波信号を抽出するようチューナ３に指示することは行わない。
【００４２】
また、ハードディスクドライブ５がハードディスクから映像音声信号を読み出し表示装置において映像が再生されているときに操作部１７においてチャンネル選択操作がされた場合も、上記録画中にチャンネル選択操作がされた場合と同様の動作がされる。
【００４３】
また、前述した録画予約の際、表示装置に電子番組表が表示された状態で操作部１７において番組選択操作がされ録画予約登録操作がされると、もし選択された番組の録画に必要な容量がハードディスクの残り容量を超え、記憶部１０に記憶された設定情報がリモコン振動機能が有効である旨を表している場合は、制御部６は制御信号を制御信号送信部１２に送信する。すると、制御信号送信部１２がリモコン１３の制御信号受信部１４に無線信号を送信し、制御信号受信部１４は無線信号を制御信号に変換して制御部１６に出力し、制御部１６が制御信号に応じた駆動信号をモータ１８に出力し、モータ１８の駆動によりリモコン１３が振動する。ここでの駆動信号は、前述した視聴録画予約をユーザに知らせる場合のモータ１８の駆動時間よりも短い時間でモータ１８を駆動させるための信号であり、リモコン１３も前述した視聴録画予約をユーザに知らせる場合より短い時間で振動する。また、ＯＳＤ部７は制御部６の指示に基づきビデオ信号を表示装置に出力し、表示装置には録画容量がハードディスクの残り容量を超えるような録画予約登録がされた旨を警告するメッセージやアイコンが表示される。また、制御部６は、録画予約情報を記憶部１０に記憶させる。このようにリモコン１３が振動することにより、録画容量がハードディスクの残量を超えるような録画予約登録がされたことがユーザにとって分かりやすくなる。
【００４４】
また、上記でもし記憶部１０に記憶された設定情報がリモコン振動機能が無効である旨を表している場合は、制御部６は制御信号を制御信号送信部１２に送信することはせず、ＯＳＤ部７は制御部６の指示に基づきビデオ信号を表示装置に出力し、表示装置には録画容量がハードディスクの残り容量を超えるような録画予約登録がされた旨を警告するメッセージやアイコンが表示される。また、制御部６は、録画予約情報を記憶部１０に記憶させる。
【００４５】
以上のように本発明では、ユーザがリモコン振動機能の有効・無効を設定でき、リモコンの振動による通知をするか否かを選択でき、ユーザの好みの使い方ができる。
【００４６】
なお、以上の実施形態では、表示装置の画面上でリモコン振動機能の有効・無効を選択するようにしていたが、リモコン１３の操作部１７にスライドスイッチを設け、該スライドスイッチにより選択できるようにしてもよい。
【００４７】
前述した視聴予約や録画予約の際は、操作部１７において視聴予約登録操作や録画予約登録操作がされると、制御部１６が視聴予約登録操作や録画予約登録操作に対応するコード信号と共にスライドスイッチの位置に応じたリモコン振動機能の有効・無効を表すコード信号を赤外線信号送信部１５に出力し、制御部６がこれらのコード信号を受信し、コード信号がリモコン振動機能の有効・無効いずれかを表しているかにより、制御信号を制御信号送信部１２に送信したりしなかったりするようにすればよい。
【００４８】
また、前述した録画中および再生中のチャンネル選択操作や、録画容量がハードディスクの残量を超えるような録画予約登録操作の際は、制御部１６がチャンネル選択操作や録画予約登録操作に対応するコード信号と共にスライドスイッチの位置に応じたリモコン振動機能の有効・無効を表すコード信号を赤外線信号送信部１５に出力し、制御部６がこれらのコード信号を受信し、コード信号がリモコン振動機能の有効・無効いずれかを表しているかにより、制御信号を制御信号送信部１２に送信したりしなかったりするようにすればよい。
【図面の簡単な説明】
【００４９】
【図１】は、本発明に係るハードディスクレコーダのブロック構成図である。
【図２】は、本発明に係るリモコンのブロック構成図である。
【図３】は、リモコン振動機能の設定画面例を示す図である。
【符号の説明】
【００５０】
１    ハードディスクレコーダ
２    アンテナ
３    チューナ
４    ＭＰＥＧコーデック
５    ハードディスクドライブ
６    制御部
７    ＯＳＤ部
８    ＥＰＧ情報記憶部
９    内部時計
１０    記憶部
１１    赤外線信号受信部
１２    制御信号送信部
１３    リモコン
１４    制御信号受信部
１５    赤外線信号送信部
１６    制御部
１７    操作部
１８    モータ
１９    振動子
【図１】
2008124778.tif 000003
【図２】
2008124778.tif 000004
【図３】
2008124778.tif 000005